(57)【要約】  【課題】  撮影不可領域であっても合法的に撮影を行うことができる撮像装置を提供する。  【解決手段】  無線通信手段（５，６，７）で受信した信号から撮影不可を表す信号を復調したとき、撮像手段（１，２，３）で撮像した信号を、暗号化処理手段（４）で暗号化することを特徴とする。【選択図】  図１
2005136554.tif 000002
【特許請求の範囲】
【請求項１】
無線通信手段で受信した信号から撮影不可を表す信号を復調したとき、撮像手段で撮像した信号を、暗号化処理手段で暗号化することを特徴とする撮像装置。
【請求項２】
無線通信手段で受信した信号から撮影不可を表す信号を復調したとき、撮像手段で撮像した信号に、再生不可情報重畳部で再生不可情報を重畳することを特徴とする撮像装置。
【請求項３】
無線通信手段で受信したＧＰＳ信号から現在位置を認識し、該現在位置が撮影不可領域データ格納部の有する撮影不可領域であるかを撮影判別部で判別し、前記撮影不可領域であるとき、撮像手段で撮像した信号を、暗号化処理手段で暗号化することを特徴とする撮像装置。
【請求項４】
無線通信手段で受信したＧＰＳ信号から現在位置を認識し、該現在位置が撮影不可領域データ格納部の有する撮影不可領域であるかを撮影判別部で判別し、前記撮影不可領域であるとき、撮像手段で撮像した信号に、再生不可情報重畳部で再生不可情報を重畳することを特徴とする撮像装置。
【請求項５】
装着した暗号復号許可発行素子からの暗号復号許可信号に基づき、暗号化された信号を暗号復調手段で復号し、復号した信号を表示手段に表示することを特徴とする電気機器。
【請求項６】
撮像信号と再生不可情報を記録している記録手段からの前記再生不可情報より再生判定手段でマスク実行信号を出力し、該マスク実行信号に基づき前記記録手段からの前記撮像信号を信号マスク手段でマスクする電気機器であって、装着した復号許可発行素子からの復号許可信号があるときには、前記再生判定手段はマスク不実行信号を出力し、該マスク不実行信号に基づき前記記録手段からの前記撮像信号を信号マスク手段でマスクをかけないで、表示手段に表示することを特徴とする電気機器。
【発明の詳細な説明】
【技術分野】
【０００１】
本発明は、無線通信手段を備えた撮像装置および該撮像装置で記録された信号を復号、再生するための電気機器に関する。
【背景技術】
【０００２】
従来の技術は、特許文献１に記載のように、無線通信手段を備えた撮像装置において、撮影禁止信号を受信すると撮影動作を禁止する技術が知られている。このことにより、撮影禁止領域における撮影行為を確実に制限することができる。
【０００３】
【特許文献１】特開２００３−８７６３７号公報
【発明の開示】
【発明が解決しようとする課題】
【０００４】
しかしながら、上記従来の撮像装置では、常に撮影不可信号を受信してしまう場所に住居を持ち、住居内で家族を撮影したい場合に撮影することが出来ないという課題がある。
【０００５】
また、人命に関わるような事件に遭遇しても、撮影不可信号を受信してしまう場所であるならば撮影できず、事件解決の有力な手がかりを失う事になってしまう。
【０００６】
本発明の目的は、撮影不可領域であっても合法的に撮影を行うことができる撮像装置を提供することにある。
【０００７】
本発明の他の目的は、合法的に撮影を行った信号を復号または再生することができる電気機器を提供することにある。
【課題を解決するための手段】
【０００８】
本発明の請求項１記載の撮像装置は、無線通信手段で受信した信号から撮影不可を表す信号を復調したとき、撮像手段で撮像した信号を、暗号化処理手段で暗号化することを特徴とする。
【０００９】
本発明の請求項２記載の撮像装置は、無線通信手段で受信した信号から撮影不可を表す信号を復調したとき、撮像手段で撮像した信号に、再生不可情報重畳部で再生不可情報を重畳することを特徴とする。
【００１０】
本発明の請求項３記載の撮像装置は、無線通信手段で受信したＧＰＳ信号から現在位置を認識し、該現在位置が撮影不可領域データ格納部の有する撮影不可領域であるかを撮影判別部で判別し、前記撮影不可領域であるとき、撮像手段で撮像した信号を、暗号化処理手段で暗号化することを特徴とする。
【００１１】
本発明の請求項４記載の撮像装置は、無線通信手段で受信したＧＰＳ信号から現在位置を認識し、該現在位置が撮影不可領域データ格納部の有する撮影不可領域であるかを撮影判別部で判別し、前記撮影不可領域であるとき、撮像手段で撮像した信号に、再生不可情報重畳部で再生不可情報を重畳することを特徴とする。
【００１２】
本発明の請求項５記載の電気機器は、装着した暗号復号許可発行素子からの暗号復号許可信号に基づき、暗号化された信号を暗号復調手段で復号し、復号した信号を表示手段に表示することを特徴とする。
【００１３】
本発明の請求項６記載の電気機器は、撮像信号と再生不可情報を記録している記録手段からの前記再生不可情報より再生判定手段でマスク実行信号を出力し、該マスク実行信号に基づき前記記録手段からの前記撮像信号を信号マスク手段でマスクする電気機器であって、装着した復号許可発行素子からの復号許可信号があるときには、前記再生判定手段はマスク不実行信号を出力し、該マスク不実行信号に基づき前記記録手段からの前記撮像信号を信号マスク手段でマスクをかけないで、表示手段に表示することを特徴とする。
【発明の効果】
【００１４】
本発明によれば、撮影不可領域であっても合法的に撮影を行うことができる撮像装置を得ることができる。また本発明によれば、合法的に撮影を行った信号を復号または再生することができる電気機器を得ることができる。
【発明を実施するための最良の形態】
【００１５】
図１、図２、図３を用いて本発明の第一の実施例を説明する。図１は本発明の第一の実施例の形態を示す撮像装置のブロック構成図、図２は図１の信号復調部の出力信号を示した図、図３は暗号化の一例を示した図である。
【００１６】
図１において、１は光電変換するセンサ、２は該センサ１の出力をアナログ／ディジタル変換するＡ／Ｄ変換器、３はＡ／Ｄ変換器２の出力に信号処理を施す信号処理部であり、撮像部を構成する。４は信号処理部３の出力に暗号化処理を施す暗号化処理部である。
【００１７】
５はアンテナ、６はアンテナ５がキャッチしたすべての電波から所望の電波を受信する信号受信部、７は信号受信部６が受信した電波を所定の方式に従い復調する信号復調部であり、無線通信部を構成する。８は信号復調部７の出力に従い暗号化処理部４を制御する制御部である。
【００１８】
図２において、９は図１の信号復調部７の出力する撮影不可信号、１０は図１の信号復調部７の出力する撮影許可信号である。図３において、１１は図１の信号処理部３の出力信号である暗号化元信号、１２は暗号化信号である。
【００１９】
図１の構成は、センサ１の出力をＡ／Ｄ変換器２の入力に接続し、Ａ／Ｄ変換器２の出力を信号処理部３の入力に接続し、信号処理部３の出力を暗号化処理部４の入力に接続する。また、アンテナ５を信号受信部００６の入力に接続し、信号受信部６の出力を信号復調部７の入力に接続し、信号復調部７の出力を制御部８の入力に接続し、制御部８の出力を暗号化処理部４の別の入力に接続したものである。
【００２０】
センサ１で光電変換した出力は、Ａ／Ｄ変換器２でディジタル信号に変換され信号処理部３に入力される。信号処理部３は、この信号から輝度を示す信号や、例えば色差を示す信号を生成し、暗号化処理部４に供給する。
【００２１】
信号受信部６は、アンテナ５からの電波のうち、撮影不可あるいは撮影許可に関わる電波のみを所定の変調方式に従い受信する。例えば変調方式がＦＭ変調であるならば搬送波の周波数帯にある電波を受信する。受信した電波から信号復調部７は撮影不可あるいは撮影許可に関わる信号を復調し、その結果撮影不可信号９または撮影許可信号１０のいずれかを得る。
【００２２】
制御部８は、図２に示すように、復調した信号のヘッダにて該信号が撮影不可信号９または撮影許可信号１０のいずれかであるかを認識する。制御部８は、例えば撮影不可信号９の撮影不可bitがLowレベルであるならば撮影可能、またHighレベルであるならば撮影不可と判断し、一方、撮影許可信号１０の撮影許可bitがLowレベルであるならば撮影不可、またHighレベルであるならば撮影可能と判断する。
【００２３】
制御部８は判断の結果に従い暗号化処理部４を制御し、暗号化処理部４は撮影不可の場合暗号化信号１２または撮影可能の場合暗号化元信号１１のいずれかを出力する。暗号化の簡単な例をあげると、暗号化元信号１１の偶数bitと奇数bitを入れ替えて暗号化信号１２を生成する方法がある。
【００２４】
以上の動作により撮影不可信号を受信すると、撮影した映像を所定の規則に従い暗号化することを実現できる。したがって撮影不可エリアで撮影した映像は暗号化を解かない限り再生しても何が映っているのかを認識できないという効果がある。
【００２５】
また、撮影不可エリア内で人命に関わるような事件に遭遇した場合や、常に撮影不可信号を受信してしまう場所に住居を持ち、住居内で家族を撮影したい場合でも撮影を実行し、その後例えば撮影不可信号を発信している発信局に暗号化を解く作業を依頼し再生可能にすることができるという効果がある。
【００２６】
また、ここで示した信号復調部７の復調方式、撮影不可信号９、撮影許可信号１０の形式、暗号化処理部４の暗号化の方式は他の復調方式、信号形式、暗号化方式であっても同様である事は言うまでもない。
【００２７】
次に、図４を用いて本発明の第二の実施例を説明する。図４は本発明の第二の実施例を示す撮像装置のブロック構成図である。
【００２８】
図４は、図１の第一の実施例において、信号処理部３の出力に再生不可情報を重畳する再生不可情報重畳部１５を、暗号化処理部４の変わりに置いた。そして、撮影した日時を示すための時計部１４、信号処理部３が出力した映像と時計部１４を関連付けて管理する管理部１３、再生不可情報重畳部１５の出力および管理部１３の出力を制御部８の制御によって記録する記録部１６を追加した。さらに、記録部１６が出力した映像が再生不可であるかを判定する再生判定部１７、記録部１６が出力した映像をマスクする信号マスク部１８、信号マスク部１８の出力を表示する表示部１９を追加したものである。
【００２９】
信号処理部３の出力を再生不可情報重畳部１５の入力に接続し、再生不可情報重畳部１５の出力を記録部１６の入力に接続する。また、時計部１４の出力を管理部１３の入力に接続し、管理部１３の出力を記録部１６の別の入力に接続する。記録部１６の２つの出力を再生判定部１７と信号マスク部１８のそれぞれの入力に接続する。
【００３０】
再生判定部１７の出力を信号マスク部１８の別の入力に接続し、信号マスク部１８の出力を表示部１９に接続する。制御部８の３つの出力を管理部１３、再生不可情報重畳部１５、記録部１６のそれぞれの入力に接続する。他の接続は、図１の第一の実施の形態と同様である。
【００３１】
撮影を開始すると、管理部１３は時計部１４からの日時ＤＡＴＡと映像信号を同じ通し番号を付ける等の方法で関連付けたリストを生成する。また、管理部１３は制御部８から撮影不可を意味する命令を受けると、同様に日時ＤＡＴＡと映像信号を関連付けたリストに撮影不可である事を加えて記録部１６に送り、記録部１６に記録する。また、再生不可情報重畳部１５も制御部８から撮影不可を意味する命令を受け、映像信号の帰線期間中に撮影不可である事を意味する信号を重畳し、記録部１６に送る。記録部１６は制御部８の命令を受け、該映像信号を記録する。
【００３２】
再生時には再生判定部１７に、記録部１６から撮影不可を意味する信号が送られ、これにより再生判定部１７は信号マスク部１８にマスク実行信号を出力する。信号マスク部１８は、映像信号を例えば黒レベルに固定し、撮影された映像がどのようなものかが分からないようにして表示部１９に送る。
【００３３】
以上の動作により撮影不可信号を受信すると、撮影した映像信号、あるいは関連付けされた別手段に映像再生不許可コードを重畳することを実現できる。したがって、その映像再生不許可コードを再生時に認識し映像信号をマスクすることで再生しても何が映っているのかを認識できないという効果がある。
【００３４】
また、撮影不可エリア内で人命に関わるような事件に遭遇した場合や、常に撮影不可信号を受信してしまう場所に住居を持ち、住居内で家族を撮影したい場合でも撮影を実行し、その後例えば撮影不可信号を発信している発信局に映像再生不許可コードを解く作業を依頼し再生可能にすることができるという効果がある。
【００３５】
次に、図５を用いて本発明の第三の実施例を説明する。図５は本発明の第三の実施例を示す撮像装置のブロック構成図である。
【００３６】
図５について、２０はアンテナ５がキャッチしたすべての電波のうちＧＰＳ衛星からの電波を受信する信号受信部、２１は信号受信部２０が受信したＧＰＳ衛星からの電波を所定の方式に従い復調する信号復調部であり、無線通信部を構成する。
【００３７】
２２は撮影不可として申請している領域の位置ＤＡＴＡを格納してあるＲＯＭである撮影不可領域ＤＡＴＡ格納部、２３は信号復調部２１が出力する現在位置ＤＡＴＡと、撮影不可領域ＤＡＴＡ格納部２２の出力を照合し、現在位置での撮影が可能であるかを判定する撮影判定部である。
【００３８】
図５において、アンテナ５を信号受信部２０の入力に接続し、信号受信部２０の出力を信号復調部２１の入力に接続し、信号復調部２１の出力を撮影判定部２３の入力に接続し、撮影判定部２３の別の入力に撮影不可領域ＤＡＴＡ格納部２２の出力を接続し、撮影判定部２３の出力を制御部０８に接続したものである。他の接続は、図１の第一の実施の形態と同様である。
【００３９】
ＧＰＳ衛星からの信号を信号受信部２０で受信し、信号復調部２１で復調し、現在位置情報を得る。撮影判定部２３は、現在位置と撮影不可領域ＤＡＴＡ格納部２２が出力する撮影不可領域ＤＡＴＡとの関係を調べ、もし現在位置が撮影不可領域内であると判定したら制御部８に例えば撮影不可信号９を出力する。
【００４０】
制御部８は、例えば撮影不可信号９の撮影不可bitがLowレベルであるならば撮影可能、またHighレベルであるならば撮影不可と判断する。制御部８は判断の結果に従い暗号化処理部４を制御し、暗号化処理部４は撮影不可の場合暗号化信号１２または撮影可能の場合暗号化元信号１１のいずれかを出力する。暗号化の簡単な例をあげると暗号化元信号１１の偶数bitと奇数bitを入れ替えて暗号化信号１２を生成する方法がある。
【００４１】
以上の動作により撮影不可領域で撮影した映像を所定の規則に従い暗号化することを実現できる。したがって撮影不可領域で撮影した映像は暗号化を解かない限り再生しても何が映っているのかを認識できないという効果がある。
【００４２】
また、撮影不可領域内で人命に関わるような事件に遭遇した場合や、撮影不可領域内に住居を持ち、住居内で家族を撮影したい場合でも撮影を実行し、その後例えば撮影不可領域ＤＡＴＡを管理している管理局に暗号化を解く作業を依頼し再生可能にすることができるという効果がある。
【００４３】
また、ＧＰＳ衛星の発信する情報を用いるため新たな固有の撮影不可信号、または、撮影許可信号を発信する発信局を設ける必要がなく、システム的に安価であるという効果がある。
【００４４】
また、ここで示した信号復調部７の復調方式、撮影不可信号９、撮影許可信号１０の形式、暗号化処理部４の暗号化の方式は他の復調方式、信号形式、暗号化方式であっても同様である事は言うまでもない。
【００４５】
次に、図６を用いて本発明の第四の実施例を説明する。図６は本発明の第四の実施例を示す撮像装置のブロック構成図である。
【００４６】
図６は図５の第三の実施例において、信号処理部３の出力に再生不可情報を重畳する再生不可情報重畳部１５を、暗号化処理部４の変わりに置いた。そして、撮影した日時を示すための時計部１４、信号処理部３が出力した映像と時計部１４を関連付けて管理する管理部１３、再生不可情報重畳部１５の出力および管理部１３の出力を制御部８の制御によって記録する記録部１６、記録部１６が出力した映像が再生不可であるかを判定する再生判定部１７、記録部１６が出力した映像をマスクする信号マスク部１８、信号マスク部１８の出力を表示する表示部１９を追加したものである。
【００４７】
信号処理部３の出力を再生不可情報重畳部１５の入力に接続し、再生不可情報重畳部１５の出力を記録部１６の入力に接続する。また、時計部１４の出力を管理部１３の入力に接続し、管理部１３の出力を記録部１６の別の入力に接続する。記録部１６の２つの出力を再生判定部１７と信号マスク部１８のそれぞれの入力に接続する。
【００４８】
再生判定部１７の出力を信号マスク部０１８の別の入力に接続し、信号マスク部１８の出力を表示部１９に接続する。制御部８の３つの出力を管理部１３、再生不可情報重畳部１５、記録部１６のそれぞれの入力に接続する。他の接続は、図１の第一の実施例と同様である。
【００４９】
撮影を開始すると、管理部１３は時計部１４からの日時ＤＡＴＡと映像信号を同じ通し番号を付ける等の方法で関連付けたリストを生成する。また、管理部１３は制御部８から撮影不可を意味する命令を受けると、同様に日時ＤＡＴＡと映像信号を関連付けたリストに撮影不可である事を加えて記録部１６に送り、記録部１６に記録する。また、再生不可情報重畳部１５も制御部８から撮影不可を意味する命令を受け、映像信号の帰線期間中に撮影不可である事を意味する信号を重畳し、記録部１６に送る。記録部１６は制御部８の命令を受け、該映像信号を記録する。
【００５０】
再生時には再生判定部１７に、記録部１６から撮影不可を意味する信号が送られ、これにより再生判定部１７は信号マスク部１８にマスク実行信号を出力する。信号マスク部１８は、映像信号を例えば黒レベルに固定し、撮影された映像がどのようなものかが分からないようにして表示部１９に送る。
【００５１】
以上の動作により撮影不可信号を受信すると、撮影した映像信号、あるいは関連付けされた別手段に映像再生不許可コードを重畳することを実現できる。したがって、その映像再生不許可コードを再生時に認識し映像信号をマスクすることで再生しても何が映っているのかを認識できないという効果がある。
【００５２】
また、撮影不可エリア内で人命に関わるような事件に遭遇した場合や、撮影不可領域内に住居を持ち、住居内で家族を撮影したい場合でも撮影を実行し、その後例えば撮影不可領域ＤＡＴＡを管理している管理局に映像再生不許可コードを解く作業を依頼し再生可能にすることができるという効果がある。
【００５３】
次に、図７を用いて本発明の第五の実施例を説明する。図７は本発明の第五の実施例を示す電気機器のブロック構成図である。
【００５４】
図７において、２４は撮影不可信号を発信している発信局が発行するところの、暗号復調許可信号，暗号復調方法等を出力する暗号復調許可ＤＡＴＡ発行素子、２５は暗号復調許可ＤＡＴＡ発行素子２４が出力する暗号復調方法に従い暗号復調を制御する制御部、２６は制御部２５の制御によって暗号を復調する暗号復調部、２７は暗号復調部２６に暗号化された映像信号を入力する信号入力部で、例えば図１の暗号化処理部４の出力がそれに該当する。１９は暗号復調部２６の出力を表示する表示部である。
【００５５】
暗号復調許可ＤＡＴＡ発行素子２４の出力を制御部２５の入力に接続し、制御部２５の出力を暗号復調部２６の入力に接続する。信号入力部２７の出力を暗号復調部２６の別の入力に接続し、暗号復調部２６の出力を表示部１９の入力に接続した構成である。
【００５６】
撮影不可信号を発信している発信局は、暗号復調許可の申請を受けたら、撮影した場所と日時、復調後の映像信号の使用用途等を参考にし、復調可、あるいは復調不可を検討する。復調可となった場合、その映像信号の暗号フォーマットにあった復調方法を記憶している暗号復調許可ＤＡＴＡ発行素子２４を発行する。
【００５７】
図７における暗号復調許可ＤＡＴＡ発行素子２４は例えばＣＤ−Ｒ等であり、電気機器の該当スロットに装着された状態を示す。制御部２５は、暗号復調許可ＤＡＴＡ発行素子２４の出力に従い暗号復調部２６を制御する。暗号復調部２６は、例えば図３に示す暗号であるならば制御部２５から偶数bitと奇数bitを入れ替えるという制御を受け、暗号化信号１２から暗号化元信号１１を生成して、表示部１９に送る。
【００５８】
以上の動作により暗号化してある映像信号でも再生することが実現できる。そのため、撮影不可エリア内で人命に関わるような事件に遭遇した場合の映像や、撮影不可領域内に住居を持ち、住居内で家族を撮影した映像でも、その後例えば撮影不可信号を発信している発信局に暗号化を解く申請をして、暗号復調許可ＤＡＴＡ発行素子を発行してもらえば再生可能である。
【００５９】
また、ここで示した暗号復調部２６の復調方式や暗号復調許可ＤＡＴＡ発行素子を発行するために参考にした撮影条件等の情報は、他の方式、撮影条件等の情報であっても同様である事は言うまでもない。
【００６０】
次に、図８を用いて本発明の第六の実施例を説明する。図８は本発明の第六の実施例を示す、撮像装置と電気機器の組み合わせ装置のブロック構成図である。
【００６１】
図８は図４の第二の実施例の制御部８、再生判定部１７を制御部２８、再生判定部２９に置き換え、また、復調許可ＤＡＴＡ発行素子３０を追加したものである。復調許可ＤＡＴＡ発行素子３０の出力を制御部２８の入力に接続し、制御部２８の新たな出力を再生判定部２９の新たな入力に接続した。他の配線は図４の第二の実施の形態と同様である。
【００６２】
撮影不可信号を発信している発信局は、復調許可の申請を受けたら、撮影した場所と日時、復調後の映像信号の使用用途等を参考にし、復調可、あるいは復調不可を検討する。復調可となった場合、その映像信号の撮影不可情報を無視するためのＤＡＴＡを出力する復調許可ＤＡＴＡ発行素子３０を発行する。
【００６３】
図８における復調許可ＤＡＴＡ発行素子３０は例えばＣＤ−Ｒ等であり、組み合わせ機器の該当スロットに装着された状態を示す。制御部２９は、復調許可ＤＡＴＡ発行素子３０の出力に従い再生判定部２９を制御する。再生判定部２９は、記録部１６から撮影不可を意味する信号が送られてきても、この信号を無視し、信号マスク部１８にマスクをかけない命令を出す。これにより記録部１６からの出力映像信号は信号マスク部１８でマスクがかけられず、表示部１９に送られ表示される。
【００６４】
以上の動作により映像信号、または、映像信号に関連付けされた手段に撮影不可情報を書き込んであっても再生することが実現できる。そのため、撮影不可エリア内で人命に関わるような事件に遭遇した場合の映像や、撮影不可領域内に住居を持ち、住居内で家族を撮影した映像でも、その後例えば撮影不可信号を発信している発信局に撮影不可情報を無視する申請をして暗号復調許可ＤＡＴＡ発行素子を発行してもらえば再生可能である。
【００６５】
また、ここで示した暗号復調部２６の復調方式や暗号復調許可ＤＡＴＡを発行するために参考にした撮影条件等の情報は、他の方式、撮影条件等の情報であっても同様である事は言うまでもない。
【００６６】
本発明の実施例によれば、所定の撮影不可領域内で撮影した映像を暗号化、または、再生不可とすることで、盗撮等の映像の再生を防ぐことができる。それでいて、暗号化した映像信号を合法的に復調する申請、または、再生不可を合法的に解除する申請を撮影不可領域を決めている機関に行うことにより、通常再生可能である。
【００６７】
また、撮影不可領域内であっても人命に関わるような緊急時の撮影する場合や、常に撮影不可信号を受信してしまう場所に住居を持ち、住居内で家族を撮影したい場合でも通常撮影することができ、合法的に映像を再生することができる。
【図面の簡単な説明】
【００６８】
【図１】本発明の第一の実施例を示す撮像装置のブロック構成図である。
【図２】図１の信号復調部の出力信号を示した図である。
【図３】暗号化の一例を示した図である。
【図４】本発明の第二の実施例を示す撮像装置のブロック構成図である。
【図５】本発明の第三の実施例を示す撮像装置のブロック構成図である。
【図６】本発明の第四の実施例を示す撮像装置のブロック構成図である。
【図７】本発明の第五の実施例を示す電気機器のブロック構成図である。
【図８】本発明の第六の実施例を示す、撮像装置と電気機器の組み合わせ装置のブロック構成図である。
【符号の説明】
【００６９】
１…センサ、２…Ａ／Ｄ変換器、３…信号処理部、４…暗号化処理部、５…アンテナ、６，２０…信号受信部、７，２１…信号復調部、８，２５，２８…制御部、９…撮影不可信号、１０…撮影許可信号、１１…暗号化元信号、１２…暗号化信号、１３…管理部、１４…時計部、１５…再生不可情報重畳部、１６…記録部、１７，２９…再生判定部、１８…信号マスク部、１９…表示部、２２…撮影不可領域ＤＡＴＡ格納部、２３…撮影判定部、２４…暗号復調許可ＤＡＴＡ発行素子、２６…暗号復調部、２７…信号入力部、３０…復調許可ＤＡＴＡ発行素子。
【図１】
2005136554.tif 000003
【図２】
2005136554.tif 000004
【図３】
2005136554.tif 000005
【図４】
2005136554.tif 000006
【図５】
2005136554.tif 000007
【図６】
2005136554.tif 000008
【図７】
2005136554.tif 000009
【図８】
2005136554.tif 000010